(57)【要約】【課題】  個別液室間のインクの温度ムラを効率よく抑制し、ノズル間の吐出特性にバラツキが生じない、液滴吐出装置を提供する。【解決手段】  液体を吐出する複数のノズルに通じる複数の個別流路を有する流路板と、液体を吐出するため、個別流路を加圧する圧力発生手段と、圧力発生手段を支持する支持部材と、が順次に積層されている液滴吐出装置において、支持部材と圧力発生手段の間には、複数のノズルが並設されたノズル列方向に溝が形成され、溝のノズル列方向一方端領域には、外部と接続可能な流入管が形成され、前記溝のノズル列方向他方端領域には、外部と接続可能な流出管が形成され、前記流入管と、前記溝と、前記流出管とで形成された循環流路を流体が循環し、前記流体は、前記溝で前記圧力発生手段に接触する。【選択図】図５
2017001247.tif 000002
【特許請求の範囲】
【請求項１】
液体を吐出する複数のノズルに通じる複数の個別流路を有する流路板と、
前記液体を吐出するため、前記個別流路を加圧する圧力発生手段と、
前記圧力発生手段を支持する支持部材と、が順次に積層されている液滴吐出装置において、
前記支持部材と前記圧力発生手段の間には、前記複数のノズルが並設されたノズル列方向に溝が形成され、
前記溝のノズル列方向一方端領域には、外部と接続可能な流入管が形成され、
前記溝のノズル列方向他方端領域には、外部と接続可能な流出管が形成され、
前記流入管と、前記溝と、前記流出管とで形成された循環流路を流体が循環し、
前記流体は、前記溝で前記圧力発生手段に接触することを特徴とする、液滴吐出装置。
【請求項２】
前記溝は、前記支持部材に形成されることを特徴とする、請求項１に記載の液滴吐出装置。
【請求項３】
前記溝は、前記圧力発生手段に形成されることを特徴とする、請求項１に記載の液滴吐出装置。
【請求項４】
前記溝は、前記支持部材及び前記圧力発生手段に形成されることを特徴とする、請求項１に記載の液滴吐出装置。
【請求項５】
前記流体が、ノズルから吐出される液体であることを特徴とする、請求項１〜４のいずれか一項に記載の液滴吐出装置。
【請求項６】
前記流体が、金属の微小粒子を含むことを特徴とする、請求項１〜５のいずれか一項に記載の液滴吐出装置。
【請求項７】
前記圧力発生手段が圧電素子であることを特徴とする、請求項１〜６のいずれか一項に記載の液滴吐出装置。
【請求項８】
請求項１〜７のいずれか一項に記載の液滴吐出装置を搭載した画像形成装置。
【発明の詳細な説明】
【技術分野】
【０００１】
本発明は、圧力発生手段を備えた液滴吐出装置および画像形成装置に関する。
【背景技術】
【０００２】
画像形成装置の一つとして、液滴吐出装置を搭載したキャリッジを主走査方向に往復移動させながら液滴吐出装置からインクの微小液滴を吐出し、記録媒体上に着弾させることにより画像パターンを形成するインクジェット記録装置が知られている。
【０００３】
カラー印刷用の液滴吐出装置にあっては、イエロー、マゼンタ、シアン、ブラックの各インクタンクから各色のインクを、インク供給孔を経由して、色毎の共通液室に供給し、各共通液室から各個別液室を経由してノズルに供給している。
【０００４】
最近では、記録が必要な時にのみインクの微小液滴を吐出するように構成されたオン・デマンド方式の液滴吐出装置が主流になっている。このような液滴吐出装置には、個別液室内に設けた圧力発生源としての圧電素子の変位により個別液室内の圧力を高めて、ノズルからインクを吐出させる圧電式がある。
【０００５】
圧電式の液滴吐出装置では、圧電素子から大きな変位を得るために、大きな電流を流す必要がある。大きな電流が圧電素子に流れると、圧電素子における電気抵抗により熱が発生する。圧電素子から発生した熱は、アクチュエータ基板を介して、個別液室内のインクに伝達される。圧電素子からの熱により温度が上昇した個別液室内のインクは、ノズルを通して外部に吐出される。
【０００６】
ところで、インクを吐出するために圧電素子に送られる電流は、ノズルから吐出されるインク量や使用頻度により異なる。したがって、圧電素子からの発熱量もノズル毎に異なり、圧電素子から個別液室内のインクに伝達される熱量もノズル毎に異なる。その結果、ノズルから吐出されるインク量が多い個別液室内のインク温度は高くなる。一方、ノズルから吐出されるインク量が少ない個別液室内のインク温度は相対的に低くなる。このような個別液室間におけるインク温度のムラは、インク粘度のムラを起こすため、ノズル間でインクの吐出特性にバラツキが生じる。
【０００７】
これに対して、共通液室を形成する部材に冷却流路を設けて共通液室内のインク温度を冷却させ、個別液室内のインク温度を制御する提案がされている（例えば、特許文献１参照）。
【０００８】
特許文献１に記載の液滴吐出装置では、共通液室が形成された共通液室形成部材に共通液室とは異なる循環路と、循環路を流れる循環用流体と、循環用流体を循環路に流すための循環ポンプと、循環用流体を冷却するクーラーとを備える。そして、個別液室内のインクの熱を共通液室内のインクに伝達させ、共通液室内のインクからの熱が循環用流体に伝達されると、循環用流体は循環ポンプにより液滴吐出装置外に設けられているクーラーに送られ、個別液室間のインク温度の均一化を速やかに行うことができる。
【０００９】
しかしながら、特許文献１に記載された構成では、圧電素子から発生した熱が、個別液室内のインクから、共通液室内のインクを介して、循環流路内の循環用流体に伝わって、外部に放熱される。そのため、個別液室内のインク温度を均一化する効率が悪い問題がある。
【発明の概要】
【発明が解決しようとする課題】
【００１０】
本発明は、個別液室間のインクの温度ムラを効率よく抑制し、ノズル間の吐出特性にバラツキが生じない、液滴吐出装置を提供することを目的とする。
【課題を解決するための手段】
【００１１】
上述した課題を解決するために、本発明の請求項１に記載の液滴吐出装置は、
液体を吐出する複数のノズルに通じる複数の個別流路を有する流路板と、
前記液体を吐出するため、前記個別流路を加圧する圧力発生手段と、
前記圧力発生手段を支持する支持部材と、が順次に積層されている液滴吐出装置において、
前記支持部材と前記圧力発生手段の間には、前記複数のノズルが並設されたノズル列方向に溝が形成され、
前記溝のノズル列方向一方端領域には、外部と接続可能な流入管が形成され、
前記溝のノズル列方向他方端領域には、外部と接続可能な流出管が形成され、
前記流入管と、前記溝と、前記流出管とで形成された循環流路を流体が循環し、
前記流体は、前記溝で前記圧力発生手段に接触することを特徴とする。
とする。
【発明の効果】
【００１２】
本発明によると、個別液室間のインクの温度ムラを効率よく抑制し、ノズル間の吐出特性にバラツキが生じない、液滴吐出装置を提供できる。
【図面の簡単な説明】
【００１３】
【図１】本発明の第１の実施形態に係る画像形成装置を概略的に示した斜視図である。
【図２】図１に示した画像形成装置の断面を概略的に示した構成図である。
【図３】図１に示した画像形成装置を概略的に示した構成図である。
【図４】図１に示した画像形成装置の液滴吐出装置を示した分解斜視図である。
【図５】図１に示した画像形成装置の液滴吐出装置を示した断面図である。
【図６】図１に示した画像形成装置の液滴吐出装置を示した断面図である。
【図７】本発明の第２の実施形態に係る液滴吐出装置を示した断面図である。
【図８】本発明の第３の実施形態に係る液滴吐出装置を示した断面図である。
【図９】本発明の第４の実施形態に係る液滴吐出装置を示した断面図である。
【発明を実施するための形態】
【００１４】
以下、添付の図面に基づき、本発明の第１の実施形態について説明する。図１は、本発明に係る液滴吐出装置を画像記録に用いた画像形成装置の一例であるインクジェット記録装置（以下、インクジェットプリンタ、又は単にプリンタと記すこともある）を示す斜視図である。
【００１５】
このインクジェット記録装置は、装置本体１と、装置本体１に装着された用紙を装填するための給紙トレイ２と、装置本体１に着脱自在に装着されて画像が記録（形成）された用紙をストックするための排紙トレイ３とを備えている。さらに、装置本体１の前面の一端部側（給排紙トレイ部の側方）には、前面から装置本体１の前方側に突き出し、上面よりも低くなったインクカートリッジを装填するためのカートリッジ装填部４を有する。このカートリッジ装填部４の上面には、操作ボタンや表示器などを備える操作／表示部５を有する。
【００１６】
このカートリッジ装填部４には、色の異なる色材である液体としての記録液（インク）、例えば黒（Ｋ）インク、シアン（Ｃ）インク、マゼンタ（Ｍ）インク、イエロー（Ｙ）インクをそれぞれ収容した複数の記録液カートリッジであるインクカートリッジ１０ｋ、１０ｃ、１０ｍ、１０ｙ（色を区別しないときは「インクカートリッジ１０」という）を、装置本体１の前面側から後方側に向って挿入して装填可能とする。このカートリッジ装填部４の前面側には、インクカートリッジ１０を着脱するときに開く前カバー（カートリッジカバー）６を開閉可能に設けている。
【００１７】
次に、この液滴吐出装置の機構部について図２及び図３を参照して説明する。
図２は、図１のインクジェット記録装置の断面構成図である。また、図３は、画像形成部を示す平面図である。これらの図に示すように、左右の側板２１Ａ、２１Ｂに横架したガイド部材である主従のガイドロッド３１、３２でキャリッジ３３を主走査方向に摺動自在に保持し、主走査モーターによってタイミングベルトを介して図３で矢示方向（キャリッジ主走査方向）に移動走査する。
【００１８】
このキャリッジ３３には、イエロー（Ｙ）、シアン（Ｃ）、マゼンタ（Ｍ）、ブラック（Ｋ）の各色のインク滴を吐出するための液滴吐出ヘッドとしての記録ヘッド３４を、複数のノズルからなるノズル列を主走査方向と直交する副走査方向に配列し、インク滴吐出方向を下方に向けて装着している。
【００１９】
記録ヘッド３４は、それぞれ４つのノズル列を有し、それぞれのノズル列は、ブラック（Ｋ），シアン（Ｃ），マゼンタ（Ｍ），イエロー（Ｙ）の液滴を、それぞれ吐出する。
【００２０】
記録ヘッド３４を構成するインクジェットヘッドとしては、圧力発生手段としての圧電素子などの圧電アクチュエータを使用する。
なお、発熱抵抗体などの電気熱変換素子を用いて液体の膜沸騰による相変化を利用するサーマルアクチュエータ、温度変化による金属相変化を用いる形状記憶合金アクチュエータ、静電力を用いる静電アクチュエータなどを、液滴を吐出するための圧力を発生する圧力発生手段として使用してもよい。
【００２１】
また、キャリッジ３３には、キャリッジの主走査動作による圧力変動を抑制するための圧力ダンパ機構３５を搭載している。液滴吐出ヘッドは、各色のインク供給チューブ３６を介して、所定の位置に配置されたサブタンク８ｋ、８ｃ、８ｍ、８ｙ（色を区別しないときは「サブタンク８」という。）に貯蔵されているインクが供給される。サブタンク８には、カートリッジ装填部４に装着された各色のインクカートリッジ１０から各色のインクが補充供給される。なお、このカートリッジ装填部４には、インクカートリッジ１０内のインクを送液するための供給ポンプユニット７が設けられている。
【００２２】
一方、給紙トレイ２の用紙積載部（圧板）４１上に積載した用紙４２を給紙するための給紙部として、用紙積載部４１から用紙４２を１枚ずつ分離給送する半月コロ（給紙コロ）４３と、給紙コロ４３に対向し、摩擦係数の大きな材質からなる分離パッド４４と、を備えている。分離パッド４４は、給紙コロ４３側に付勢されている。
【００２３】
そして、この給紙部から給紙された用紙４２を記録ヘッド３４の下方側に送り込むために、用紙４２を案内するガイド部材４５と、カウンタローラ４６と、搬送ガイド部材４７と、先端加圧コロ４９を有する押さえ部材４８とを備えている。また、給送された用紙４２を静電吸着して記録ヘッド３４に対向する位置で搬送するための搬送手段である搬送ベルト５１を備えている。
【００２４】
この搬送ベルト５１は、無端状ベルトであり、搬送ローラ５２とテンションローラ５３との間に掛け渡されて、ベルト搬送方向（副走査方向）に周回するように構成している。
【００２５】
また、この搬送ベルト５１の表面を帯電させるための帯電手段である帯電ローラ５６を備えている。この帯電ローラ５６は、搬送ベルト５１の表層に接触し、搬送ベルト５１の回動に従動して回転するように配置されている。この搬送ベルト５１は、副走査モーターによってタイミングを介して搬送ローラ５２が回転駆動されることによって、図３のベルト搬送方向に周回移動する。
【００２６】
さらに、記録ヘッド３４で記録された用紙４２を排紙するための排紙部として、搬送ベルト５１から用紙４２を分離するための分離爪６１と、排紙ローラ６２及び排紙コロ６３とを備え、排紙ローラ６２の下方に排紙トレイ３を備えている。
【００２７】
また、装置本体１の背面部には両面ユニット７１が着脱自在に装着されている。この両面ユニット７１は、搬送ベルト５１の逆方向回転で戻される用紙４２を取り込んで反転させてカウンタローラ４６と搬送ベルト５１との間に再度給紙する。また、この両面ユニット７１の上面は手差しトレイ７２としている。
【００２８】
さらに、図３に示すように、キャリッジ３３の走査方向一方側の非印字領域には、記録ヘッド３４のノズルの状態を維持し、回復するための回復手段を含む維持回復装置である維持回復機構８１を配置している。
【００２９】
この維持回復機構８１には、記録ヘッド３４の各ノズル面をキャピングするための各キャップ部材（以下「キャップ」という）８２ａ，８２ｂ，８２ｃ，８２ｄ（区別しないときは「キャップ８２」という）と、ノズル面をワイピングするためのブレード部材であるワイパブレード８３と、増粘した記録液を排出するために記録に寄与しない液滴を吐出させる空吐出を行うときの液滴を受ける空吐出受け８４などを備えている。
【００３０】
また、図３に示すように、キャリッジ３３の走査方向他方側の非印字領域には、記録中などに増粘した記録液を排出するために記録に寄与しない液滴を吐出させる空吐出を行うときの液滴を受ける本発明に係る液体回収容器であるインク回収ユニット（空吐出受け）８８を配置している。このインク回収ユニット８８には、記録ヘッド３４のノズル列方向に沿った開口部８９などを備えている。
【００３１】
このように構成したこの画像形成装置においては、給紙トレイ２から用紙４２が１枚ずつ分離給紙され、略鉛直上方に給紙された用紙４２は、ガイド４５で案内され、搬送ベルト５１とカウンタローラ４６との間に挟まれて搬送される。さらに、先端を搬送ガイド３７で案内されて先端加圧コロ４９で搬送ベルト５１に押し付けられ、略９０度搬送方向を転換される。
【００３２】
このとき、帯電ローラ５６に対してプラス出力とマイナス出力とが交互に繰り返すように、つまり交番する電圧が印加され、搬送ベルト５１が交番する帯電電圧パターン、すなわち、周回方向である副走査方向に、プラスとマイナスが所定の幅で帯状に交互に帯電されたものとなる。このプラス、マイナス交互に帯電した搬送ベルト５１上に用紙４２が給送されると、用紙４２が搬送ベルト５１に吸着され、搬送ベルト５１の周回移動によって用紙４２が副走査方向に搬送される。
【００３３】
そこで、キャリッジ３３を移動させながら画像信号に応じて記録ヘッド３４を駆動することにより、停止している用紙４２にインク滴を吐出して１行分を記録し、用紙４２を所定量搬送後、次の行の記録を行う。記録終了信号又は用紙４２の後端が記録領域に到達した信号を受けることにより、記録動作を終了して、用紙４２を排紙トレイ３に排紙する。
【００３４】
また、印字（記録）待機中にはキャリッジ３３は維持回復機構８１側に移動されて、キャップ８２で記録ヘッド３４がキャッピングされて、ノズルを湿潤状態に保つことによりインク乾燥による吐出不良を防止する。また、キャップ８２で記録ヘッド３４をキャッピングした状態で吸引ポンプによってノズルから記録液を吸引し（「ノズル吸引」又は「ヘッド吸引」という）し、増粘した記録液や気泡を排出する回復動作を行う。
【００３５】
また、記録開始前、記録途中などには回収ユニット８８などに向けて記録と関係しないインク（廃液となる液体の液滴）を吐出する空吐出動作を行う。これによって、記録ヘッド３４の安定した吐出性能を維持する。
【００３６】
次に、本実施形態に係る液滴吐出装置について詳細に説明する。
図４は、本実施形態の液滴吐出装置の構成を示す概略分離斜視図である。また、図５は図４のＡ−Ａ’線に沿う断面図であり、図６は図４のＢ−Ｂ’線に沿う断面図である。
【００３７】
液滴吐出装置は、図４及び図５に示すように、インクを吐出させるノズル１１０が多数並んでノズル列が形成されたノズル板１０１と、ノズル毎に設けられた個別流路としての個別液室１１１が形成された流路板１０２と、圧力発生手段としての圧電素子１０５からの変位をインクに伝える振動板１０３と、接続部材１０４と、圧電素子１０５と、支持部材としての圧電素子支持部材１０６とが順に積層され、本体フレーム１０７に固着される。
【００３８】
圧電素子１０５及び圧電素子支持部材１０６は、ノズル列を覆う長さを有し、圧電素子支持部材１０６には、圧電素子１０５と当接する部分に溝１２０が形成さている。溝１２０は、ノズル列に亘って形成されている。溝１２０の一方の端部領域には、流入管１２１が形成され、他方の端部領域には、流出管１２２が形成され、外部と接続される循環流路１２３を構成している。
【００３９】
冷却流体（流体）は、循環ポンプ１２４によって、循環流路１２３内を循環する。また、冷却流体は、溝１２０で、圧電素子１０５と接触する。すなわち、冷却流体は、溝１２０で圧電素子１０５に接触しながら、循環流路１２３内を循環する。
【００４０】
圧電素子１０５には、図６に示すように、駆動回路１０８に接続されたＦＰＣ１０９が接続され、駆動信号が送られる。駆動回路１０８からＦＰＣ１０９を通じて各圧電素子１０５に駆動信号が送られると、圧電素子１０５は変形する。インクカートリッジ１０から共通液室１１２を介して個別液室１１１へ導入されたインクは、圧電素子１０５の変形による個別液室１１１内の圧力の変動によって、ノズル１１０から外部に吐出される。
【００４１】
このとき、圧電素子１０５から電気抵抗により熱が発生する。圧電素子１０５から発生した熱は、接続部材１０４と、振動板１０３を通じて個別液室１１１内のインクに伝達される。また、圧電素子１０５から発生した熱は、圧電素子支持部材１０６にも伝わり外部に伝達される。
【００４２】
ところで、圧電素子支持部材１０６には、熱により膨張すると振動板１０３の変形性能が失われるため、熱伝導率が低い素材、例えば、熱伝導率１６．７Ｗ／（ｍ・Ｋ）のステンレスが主に使われている。一方、振動板１０３と接続部材１０４には、変形性能が大きく、熱伝導率がステンレスより高い素材、例えば、熱伝導率１６８Ｗ／（ｍ・Ｋ）のシリコンや熱伝導率９０．９Ｗ／（ｍ・Ｋ）のニッケルが主に使用されている。そのため、圧電素子１０５から発生した熱の大部分は、熱伝導率が高い振動板１０３と接続部材１０４を通じて個別液室１１１のインクに伝わり、インクの温度を上昇させる。
【００４３】
本実施の形態では、循環ポンプ１２４から送られる冷却流体が、溝１２０で圧電素子１０５に接触しながら、循環流路１２３内を循環するため、圧電素子１０５から発生する熱は、循環流路１２３内の冷却流体に伝わり、外部へと放熱される。そのため、圧電素子１０５から発生する熱が個別液室１１１内のインクに伝えられる量を抑制し、個別液室１１１のインクの温度を概ね一定に維持できる。
【００４４】
冷却流体は、冷却効果を高めるため、金属の微小粒子、例えば熱伝導率の高い銀ナノ粒子や銅ナノ粒子を含むことが好ましい。また、圧電素子１０５からの熱により高温になった冷却流体の温度を速やかに下げるため、循環流路１２３と、循環ポンプ１２４の間に熱交換機が設けられることが好ましい。
【００４５】
次に、本発明の第２の実施形態に係る液滴吐出装置について詳細に説明する。なお、第１の実施形態と共通する構成については対応する符号を付して詳細な説明を省略し、異なる構成について図面に基づき詳細に説明する。
図７は、本実施形態に係る液滴吐出装置の構成を示す概略断面図であり、図４のＡ−Ａ’線に沿う断面図に相当する。
【００４６】
図７を参照すると、圧電素子２０５及び圧電素子支持部材２０６は、ノズル列を覆う長さを有し、圧電素子２０５には、圧電素子支持部材２０６と当接する部分に溝２２０が形成さている。溝２２０は、ノズル列に亘って形成されている。溝２２０の一方の端部領域には、流入管２２１が形成され、他方の端部領域には、流出管２２２が形成され、外部と接続される循環流路２２３を構成している。
【００４７】
冷却流体は、循環ポンプ１２４によって、循環流路２２３内を循環する。また、冷却流体は、溝２２０で、圧電素子２０５と接触する。すなわち、冷却流体は、溝２２０で圧電素子２０５に接触しながら循環流路２２３内を循環する。
【００４８】
本実施の形態の液滴吐出装置は、循環流路２２３を形成する溝２２０が、圧電素子２０５に設けられている。そのため、圧電素子２０５における発熱部から溝２２０までの距離が短くなる。その結果、本実施形態の液滴吐出装置は、第１の実施形態よりも効率良く、圧電素子２０５から発生した熱を溝２２０内の冷却流体に伝達できる。
【００４９】
次に、本発明の第３の実施形態に係る液滴吐出装置について詳細に説明する。なお、第１の実施形態と共通する構成については対応する符号を付して詳細な説明を省略し、異なる構成について図面に基づき詳細に説明する。
図８は、本実施形態に係る液滴吐出装置の構成を示す概略断面図であり、図４のＡ−Ａ’線に沿う断面図に相当する。
【００５０】
図８を参照すると、圧電素子３０５及び圧電素子支持部材３０６は、ノズル列を覆う長さを有し、圧電素子支持部材３０６及び圧電素子３０５には、これらが当接する部分に溝３２０が形成さている。溝３２０は、ノズル列に亘って形成されている。溝３２０の一方の端部領域には、流入管３２１が形成され、他方の端部領域には、流出管３２２が形成され、外部と接続される循環流路３２３を構成している。
【００５１】
冷却流体は、循環ポンプ１２４によって、循環流路３２３内を循環する。また、冷却流体は、溝３２０で、圧電素子３０５と接触する。すなわち、冷却流体は、溝３２０で圧電素子３０５に接触しながら循環流路３２３内を循環する。
【００５２】
本実施の形態の液滴吐出装置は、循環流路３２３を形成する溝３２０が、圧電素子３０５及び圧電素子支持部材３０６の両方に形成されている。そのため、溝３２０を流れる冷却流体の流量を増加させることができる。その結果、本実施形態の液滴吐出装置は、第１及び第２の実施形態よりも効率良く、圧電素子３０５から発生した熱を速やかに下げることができる。
【００５３】
次に、本発明の第４の実施形態に係る液滴吐出装置について詳細に説明する。なお、第１の実施形態と共通する構成については対応する符号を付して詳細な説明を省略し、異なる構成について図面に基づき詳細に説明する。
図９は、本実施形態に係る液滴吐出装置の構成を示す概略断面図であり、図４のＡ−Ａ’線に沿う断面図に相当する。
【００５４】
図９を参照すると、圧電素子４０５及び圧電素子支持部材４０６は、ノズル列を覆う長さを有し、圧電素子支持部材４０６及び圧電素子４０５には、これらが当接する部分に溝４２０が形成さている。溝４２０は、ノズル列に亘って形成されている。溝４２０の一方の端部領域には、流入管４２１が形成され、他方の端部領域には、流出管４２２が形成され、外部と接続される循環流路４２３を構成している。
【００５５】
冷却流体は、循環ポンプ１２４によって、循環流路４２３内を循環する。また、冷却流体は、溝４２０で、圧電素子４０５と接触する。すなわち、冷却流体は、溝４２０で圧電素子４０５に接触しながら循環流路４２３内を循環する。
【００５６】
本実施形態では、インクが冷却流体を構成する。具体的には、インクカートリッジ１０に貯槽されているインクは、循環ポンプ１２４により循環流路４２３内に送られる。圧電素子４０５から発生する熱は、循環流路４２３内のインクに伝わる。圧電素子４０５から発生した熱を奪ったインクは、熱交換機４２５を通過し、外部へと放熱され、インクカートリッジ１０に戻る。そのため、インクの温度を常温を維持して、インクが共通液室１１２を通過する。
【００５７】
本実施の形態の液滴吐出装置は、インクが冷却流体を構成するため、第１〜第３の実施形態よりも簡易な構成とし、コスト削減を図れる。なお、冷却流体をインクとする構成は、本実施形態に限定されず、他の実施形態においても適用できる。
【００５８】
以上、本発明の実施形態について説明したが、本発明はこれに限定されるものではない。例えば、冷却流体が圧力発生手段に接して腐食などの問題を防止するために、圧力発生手段に保護膜を塗布しても良い。この場合であっても、保護膜は、膜厚が薄く、圧力発生手段から冷却流体への熱伝達への影響が少ないことから、上述の実施形態と同様の効果を得ることができる。
また、本実施形態では、インクカートリッジ１０が移動する画像形成装置に適用される場合を説明したが、本発明は、インクカートリッジが固定されて、記録媒体が移動する画像形成装置にも適用可能である。
また、各実施形態は、適用できる範囲で組合わせてもよい。
なお、上述の実施形態で紹介した各構成の材質、寸法はあくまで一例であり、本発明の作用を発揮し得る範囲内で様々な材質や寸法を選択可能であることは言うまでもない。
【符号の説明】
【００５９】
１０２    流路板
１０５    圧電素子（圧力発生手段の一例）
１０６    圧電素子支持部材（支持部材の一例）
１１０    ノズル
１１１    個別液室（個別流路の一例）
１２０    溝
１２１    流入管
１２２    流出管
【先行技術文献】
【特許文献】
【００６０】
【特許文献１】特許第５０４５６３０号公報
【図１】
2017001247.tif 000003
【図２】
2017001247.tif 000004
【図３】
2017001247.tif 000005
【図４】
2017001247.tif 000006
【図５】
2017001247.tif 000007
【図６】
2017001247.tif 000008
【図７】
2017001247.tif 000009
【図８】
2017001247.tif 000010
【図９】
2017001247.tif 000011